(57)【要約】【課題】水抜剤を使用することなく、水分を分離し、装置をコンパクトに出来るので小型タンクの近傍に設置することができ、かつ小型タンクの底部の洗浄をほぼ完全に行うことができる小型タンク洗浄機を提供する。【解決手段】    油水分離装置を、筒体の両端を蓋体をもって閉塞し、一方の蓋体の中央部に導入管を接続し、他方の蓋体の中央部に排出管を接続し、前記筒体内における一方の蓋体に、前記導入管に連通して、導入管より送られてきた流体を外周の接線方向に向けて噴出させることにより、筒体内に渦流を発生させる渦流発生体を設け、かつ前記筒体の外周にドレン孔を設けてなる軸流サイクロンとする。【選択図】  図３
0003180649.tif 000002
【実用新案登録請求の範囲】
【請求項１】
油水分離装置、フィルター装置及びポンプよりなる洗浄装置本体と、該洗浄装置本体の入り口側に基端部が接続され、かつ先端部に吸込ノズルが接続された吸込ホースと、前記洗浄装置本体の出口側に基端部が接続され、かつ先端部に吐出ノズルが接続された吐出ホースとを備えるタンク洗浄装置において、
前記油水分離装置を、筒体の両端を蓋体をもって閉塞し、一方の蓋体の中央部に導入管を接続し、他方の蓋体の中央部に排出管を接続し、前記筒体内における一方の蓋体に、前記導入管に連通して、導入管より送られてきた流体を外周の接線方向に向けて噴出させることにより、筒体内に渦流を発生させる渦流発生体を設け、かつ前記筒体の外周にドレン孔を設けてなる軸流サイクロンとしたことを特徴とするタンク洗浄装置。
【請求項２】
吸込ノズルの外周部に、吸込ノズルの先端部を照らす照明装置を取り付けたことを特徴とする請求項１記載のタンク洗浄装置。
【考案の詳細な説明】
【技術分野】
【０００１】
本考案は、灯油等を貯蔵・供給するためのタンクの洗浄装置に関する。
【背景技術】
【０００２】
屋外に設置される家庭用金属製灯油タンクにおいては、長期間使用すると、寒暖による結露の水分や、タンク内の錆、外部より混入したゴミ等の異物が、タンク内の底部に沈澱する。
【０００３】
上記のような小型タンクの底部には、通常、水抜き弁が設けられているが、灯油中の水分は、層として存在するのではなく、大小の塊となって灯油中に存在するので、水抜き弁から完全に抜き取ることは難しい。
そのため、小型タンク内の灯油等に水抜剤を混入しつつ、ポンプで循環させ、灯油中に水分を親和微細化し混濁させて、灯油として燃焼させるものがある（例えば特許文献１参照）。
また、大型の洗浄機を自動車等に搭載し、対象とする小型タンクの近傍まで移動して、小型タンクの内部洗浄を強力に行わせるものもある（たとえば特許文献２参照）。
【先行技術文献】
【特許文献】
【０００４】
【特許文献１】特開２００８−２７９３９２号公報
【特許文献２】特許第２８６９７７８号公報
【考案の概要】
【考案が解決しようとする課題】
【０００５】
上記特許文献１に記載されているものにおいては、水抜剤は、水を除去するわけではなく、灯油中の水分を親和微細化して混濁させるのみであり、最終的にはバーナーに流入し、排ガス中の水分を増加させて排出される。
そのため、配管途中のゴムパッキンの劣化を早めたり、バーナーの燃焼具合を悪化させたり、排気ガス管内の腐食を早めたりする可能性がある。
【０００６】
また、上記特許文献２に記載されているものにおいては、装置が大型で、自動車に搭載されているため、小型タンクに十分接近することができず、遠隔操作が必要であるという問題がある。
【０００７】
本考案は、上記のような従来の問題点に鑑みてなされたもので、水抜き剤を用いることなく、水分を分離し、かつコンパクトにできるので、小型タンクの近傍に設置することができ、しかも小型タンクの底部を、ほぼ完全に洗浄することができる小型タンク洗浄機を提供することを目的としている。
【課題を解決するための手段】
【０００８】
本考案によると、上記課題は、次のようにして解決される。
（１）油水分離装置、フィルター装置及びポンプよりなる洗浄装置本体と、該洗浄装置本体の入り口側に基端部が接続され、かつ先端部に吸込ノズルが接続された吸込ホースと、前記洗浄装置本体の出口側に基端部が接続され、かつ先端部に吐出ノズルが接続された吐出ホースとを備えるタンク洗浄装置において、
前記油水分離装置を、筒体の両端を蓋体をもって閉塞し、一方の蓋体の中央部に導入管を接続し、他方の蓋体の中央部に排出管を接続し、前記筒体内における一方の蓋体に、前記導入管に連通して、導入管より送られてきた流体を外周の接線方向に向けて噴出させることにより、筒体内に渦流を発生させる渦流発生体を設け、かつ前記筒体の外周にドレン孔を設けてなる軸流サイクロンを用いる。
【０００９】
このような構成とすると、導入管より軸流サイクロンに入った灯油等が、渦流発生体により渦流となり、その遠心力により、灯油より比重の重い水分や錆等の異物は筒体の外側に分離されるので、ドレン孔に連設されたドレンポットに容易に水分や異物を分離回収できる。
【００１０】
（２）上記(１)項おいて、吸込ノズルの外周部に、吸込ノズルの先端部を照らす照明装置を取り付ける。
【００１１】
このような構成とすると、タンクの底部の吸込ノズルの先端が照らし出されて、タンクの底部に存在するドレン水の大小の塊や異物を、確実に発見することができる。
【考案の効果】
【００１２】
本考案によると、軸流サイクロンにおける遠心力を利用することにより、油水分離が容易に行え、かつコンパクトにできるため、タンクの近傍に設置でき、さらに、タンクの内部を目視しながら、作業することができるので、タンクの底部に存在する水分や異物を確実に取り除くことが出来る。
【図面の簡単な説明】
【００１３】
【図１】本考案のタンク用洗浄装置を示す概略平面図である。
【図２】同じく、タンク用洗浄装置本体の正面図である。
【図３】軸流サイクロンの正面図である。
【図４】渦流発生体の斜視図である。
【考案を実施するための形態】
【００１４】
以下、本考案の一実施形態を、図面に基づいて説明する。
【００１５】
タンク用洗浄機１は、図１に示す様に、洗浄機本体２と、タンクから灯油等を吸い込むための吸込用配管Ａ、及び洗浄の終わった灯油等を他の容器に向かって吐出するための吐出用配管Ｂより構成されている。
【００１６】
洗浄機本体２は、図１及び図２に示す様に、架台３上に油水分離装置としての軸流サイクロン４や、フィルター装置としてのオイルストレーナ５やラインフィルター６と、ポンプ７が設置されており、架台３の下部には、水分や異物を回収するためのトレー８が設けられている。
洗浄機本体２の正面側及び背面側には、カバー９が設けられており、また洗浄装置本体２の両側端上部には、持ち運び用のハンドル１０が設けられている。
【００１７】
軸流サイクロン４の下部には、軸流サイクロン４により遠心分離された水分や異物を回収するためのドレンポット１１が連設されている。
【００１８】
吸込用配管Ａは、洗浄装置本体２の入り口側に基端部１２が接続され、かつ先端部１３に吸込ノズル１４が接続された吸込ホース１５からなり、吸込ノズル１４は、コンパクトに収納出来る様に２分割されており、吸込ホース１５と接続されている吸込ノズル14Aと、吸込ノズル14Aと接続されている先端側の吸込ノズル14Bからなっており、吸込ホースの１５の基端部１２近傍には、バルブ１６が設けられている。
【００１９】
吸込ノズル14Bの外周部には、照明装置としてＬＥＤペンライト１７が取付られている。
LEDペンライト１７を点灯することにより、吸込ノズル14Bの先端が照らし出され、大小のドレン水の塊や錆等の異物が発見し易く、吸込ノズル14Bから、ドレン水や異物を重点的に回収することが出来る。
【００２０】
また、吐出用配管Ｂは、洗浄装置本体２の出口側に基端部１８が接続され、かつ先端部１９に吐出ノズル２０が接続された吐出ホース２１からなり、吐出ホース２１にはバルブ２２が設けられている。
【００２１】
軸流サイクロン４は、通常は、内燃機関もしくは外燃機関の排気ガスにおける火粉消去装置等、気体中の粉塵を回収するのに用いられる。
【００２２】
本考案における軸流サイクロン４は、通常は気体に用いられている軸流サイクロンによる遠心分離の原理を、灯油等の液体における油水分離や異物の分離に応用したものである。
【００２３】
軸流サイクロン４は、図３に示す様に、筒体２３の両端を、蓋体２４，２５をもって閉塞し、一方の蓋体２４の中央部に導入管２６を接続し、他方の蓋体２５の中央部に排出管２７を接続し、前記筒体内において、一方の蓋体２４に、前記導入管２６に連通され、導入管２６より送られてきた流体を外周の接線方向に向けて噴出させることにより、筒体内に渦流を発生させる渦流発生体２８を接続したもので、前記筒体２３の外周には、ドレン孔２９が設けられている。
【００２４】
この渦流発生体２８は、図３及び図４に示す様に、導入管２６の端部からやや離隔し、かつ、筒体の中心軸線とほぼ直交するとともに、最大径が筒体２３の内径よりも若干小さな回転十字状の衝板３０における突出弧面より、案内板３１を垂下連設してなり、隣り合う案内板間には、吐出口３２が形成されている。
【００２５】
導入管２６より導入された灯油等は、案内板３１により一定方向に誘導され、吐出口３２から、筒体内壁に向かって排出されるが、この際、円筒内壁に沿う渦流が発生する。
【００２６】
その際、遠心力により、比重の重い水分や異物は、円筒内の外壁側に、比重の軽い灯油等は、渦流の中央部に分離される。
【００２７】
そのため、筒体２３の外周に設けられたドレン孔２９から、比重の重い水分や異物が、ドレン孔２９に接続されたドレンポット１１に回収されるようになっている。
【００２８】
排出管２７は、所望の長さを筒体内に突出させて固着されているので、渦の中央部の比重の軽い灯油等のみが、排出管２７より排出されることになる。
【００２９】
軸流サイクロン４を通過した灯油等は、公知のオイルストレーナ５やラインフィルター６等のフィルター群により、異物等がさらに除去された後、ポンプ７により、ポリタンク等に排出されるようになっている。
【００３０】
小型タンク用洗浄機１を使用するには、小型タンク（図示省略）の給油口のキャップ及び油量計を取り外し、給油口あるいは油量計口のどちらか一方より、吸込みノズル14Bを挿し込み、もう一方の口より、タンク内部を目視により観察する。
【００３１】
その際、吸込みノズル14Bに取り付けられているＬＥＤライト１７を点灯し、タンク内部を視認しながら、タンク底部の水や異物の多い場所を狙って、タンクの底部を、吸込みノズル14Bの先端で走査しながら移動させることにより、タンクの底部に溜まったドレン水や異物を、余すことなく吸い込んで、回収することができる。
【００３２】
吸い込まれたドレン水や異物は、軸流サイクロン４で遠心分離され、灯油より比重の大きい水分や異物は、ドレンポット１１に分離回収される。
【００３３】
軸流サイクロン４で分離回収出来なかったドレン水や異物は、オイルストレーナ５やラインフィルター６でさらに除去される。
【００３４】
ポンプ７より吐き出された灯油は、対象タンクに戻して循環させることなく、別のポリタンク等に回収し、洗浄作業が終了した後、対象タンクに戻すのが好ましい。対象タンクに循環させると、タンク内が混濁し、ドレン水や異物の視認が難しくなるからである。。
【００３５】
ドレンポット１１が、ドレン水や異物で一杯になったら、ポンプ７を止め、全てのバルブを閉じ、ドレンポット１１からドレン水等を排水する。排水が終わったら、同じ手順で、オイルストレーナ５やオイルフィルター６の排水バルブを開け、ドレン水のみを排水する。
【００３６】
排水が終わったら、各排水バルブを閉じ、各バルブ１６，２２を開けて、ポンプを再始動させる。この手順を、タンク内ドレン水や異物がなくなるまで繰り返すことにより、タンク内の洗浄を行う。
【００３７】
本考案は、上記実施形態のみに限定されるものではなく、実用新案登録請求の範囲を逸脱することなく、例えば次のような変形した態様での実施が可能である。
（１）軸流サイクロン４の導入管２６側の蓋体２４の形状を円錐状とする。
（２）軸流サイクロン４の排出管２７側の蓋体２５の形状を平板状とする。
（３）渦流発生体２８を、羽根を一定間隔毎に配すると共に一方向に少し傾けて架設し、さらに排出側に導入管２６より径大の分散盤を設けることにより、羽根で角度を付けられた水流が、分散盤により円筒側壁側に流れを形成することにより、渦流を形成させる。
（４）吸込ノズル14A,14Bを、２分割式とすることなく、１本あるいは３分割式、４分割式等とする。
（５）照明装置１７を、ＬＥＤペンライトではなく、通常の乾電池式、あるいはＡＣ電源による照明装置とする。
【符号の説明】
【００３８】
１  タンク用洗浄機
２  洗浄機本体
３  架台
４  軸流サイクロン
５  オイルストレーナ
６  ラインフィルター
７  ポンプ
８  トレー
９  カバー
１０  ハンドル
１１  ドレンポット
１２  基端部
１３  先端部
１４  吸込ノズル
14A,14B 吸込ノズル
１５  吸込ホース
１６  バルブ
１７  ＬＥＤペンライト
１８  基端部
１９  先端部
２０  吐出ノズル
２１  吐出ホース
２２  バルブ
２３  筒体
２４  蓋体
２５  蓋体
２６  導入管
２７  排出管
２８  渦流発生体
２９  ドレン孔
３０  衝板
３１  案内板
３２  吐出口
Ａ    吸込用配管
Ｂ    吐出用配管
【図１】
0003180649.tif 000003
【図２】
0003180649.tif 000004
【図３】
0003180649.tif 000005
【図４】
0003180649.tif 000006